(57)【要約】【課題】金属以外の部材を多く採用することでコーキング等の目地埋め材を使用せず、かつ軽量であって絶縁を確保した構造とし、付属するケーブルラック類も標準品を使用することが可能であるため、安価で入手しやすくするとともに、廃棄時に勝手が良いシェルタを提供する。【解決手段】堅牢な部材により形成されるシェルタ本体１０と、内部に通信機器の収納スペースを有するとともに木材の板体により形成され、シェルタ本体１０から絶縁される室内部２０と、を備え、木製部材を多くして安価かつ軽量化を図るとともに、容易な廃棄も併せて実現したシェルタ１００とした。【選択図】図２
0003179394.tif 000002
【実用新案登録請求の範囲】
【請求項１】
木材により略直方体状に組み上げられる軸組と、
軸組の外側に取り付けられる金属板により形成されるシェルタ本体と、
軸組の内側に取り付けられる内部壁材により形成される室内部と、
室内部およびシェルタ本体に形成される入り口に設けられるドアと、
を備えることを特徴とするシェルタ。
【請求項２】
請求項１に記載のシェルタにおいて、
前記軸組および／または前記内部壁材に固定されるケーブルラックを備えることを特徴とするシェルタ。
【考案の詳細な説明】
【技術分野】
【０００１】
本考案は、信号・通信・電力機器室、通信ネットワーク基地局、衛星通信用地上局または放送用地上局等であって地上に設置されるシェルタに関するものである。
【背景技術】
【０００２】
近年、携帯電話やスマートフォン等の移動体通信、光ファイバケーブル通信、衛星通信等の普及はめざましいものがある。これらの通信機器及びその付帯設備を収容する信号・通信・電力機器室、通信ネットワーク基地局、衛星通信用地上局、または、放送用地上局として、簡易型の建物である地上設置型のシェルタが用いられている。
【０００３】
これらのシェルタには屋外に設置されるものが多く、炎天、風雨、豪雪に耐えうるような堅牢な構造が要求されている。しかしながら、このようなシェルタは、通常は床面には鉄板、外壁パネルには鋼板と断熱材が使用され、その外壁パネルのつなぎ合わせで構成されている。このような構造では、つなぎ合わせ目にコーキング等の目地埋め材が使用されており、経年的劣化による耐久性に問題があり、自然環境の変化によるコーキング等の目地埋め材の劣化により雨水が侵入し、信号・通信・電力機器に悪影響を与えるという問題があった。また、業界によっては機器や付属設備を絶縁して使用する場合があり、機器については機器ごとに床面や機器固定金物から絶縁するための絶縁部材を挿入する必要があり、付属設備（特にケーブルラック）については絶縁材で製作した特注品を使用することもあり、コストアップとなる問題点もあった。
【０００４】
そこで、コーキングレス、絶縁の確保が容易、高耐久性、廃棄が容易な環境に優しいシェルタが求められている。その一例として、特に外気温による通信機器への悪影響の防止に配慮したものが、登録実用新案第３０３８０２２号公報にも開示されている。
【０００５】
登録実用新案第３０３８０２２号公報に記載された無線局舎では、特に外壁パネル、天井パネルおよび床パネルをアルミパネルとし、断熱材等を採用することで堅牢かつ外部環境に対して強固な構造を実現し、絶縁の確保が容易、高耐久性を実現した無線局舎としている。
【先行技術文献】
【特許文献】
【０００６】
【特許文献１】登録実用新案第３０３８０２２号公報
【考案の概要】
【考案が解決しようとする課題】
【０００７】
このようなシェルタは、増設の途にあり、より安価な構成で扱いやすいものが求められるようになった。加えて、シェルタ増加に比例してシェルタの廃棄も多くなってきたが、廃棄が容易ではないという問題が発生していた。また、取り扱い数の増加により使い勝手が良いものが求められるようになった。また、シェルタによっては外壁パネルのつなぎ合わせ目のコーキング等の目地埋め材の劣化による雨水侵入や、鉄板・鋼板使用に対する絶縁の確保に問題があった。両者を共に解決するものは存在していなかった。
【０００８】
そこで、本考案は上記した問題に鑑みてなされたものであり、その目的は、金属以外の部材を多く採用することでコーキング等の目地埋め材を使用せず、かつ軽量であって絶縁を確保した構造とし、付属するケーブルラック類も標準品を使用することが可能であるため、安価で入手しやすくするとともに、廃棄時に勝手が良いシェルタを提供することにある。
【課題を解決するための手段】
【０００９】
請求項１に係る考案は、
木材により略直方体状に組み上げられる軸組と、
軸組の外側に取り付けられる金属板により形成されるシェルタ本体と、
軸組の内側に取り付けられる内部壁材により形成される室内部と、
室内部およびシェルタ本体に形成される入り口に設けられるドアと、
を備えることを特徴とするシェルタとした。
【００１０】
また、請求項２に係る考案は、
請求項１に記載のシェルタにおいて、
前記軸組および／または前記内部壁材に固定されるケーブルラックを備えることを特徴とするシェルタとした。
【考案の効果】
【００１１】
このような本考案によれば、金属以外の部材を多く採用することでコーキング等の目地埋め材を使用せず、かつ軽量であって絶縁を確保した構造とし、付属するケーブルラック類も標準品を使用することが可能であるため、安価で入手しやすくするとともに、廃棄時に勝手が良いシェルタを提供することができる。
【図面の簡単な説明】
【００１２】
【図１】本考案を実施するためのシェルタの斜視外観図である。
【図２】本考案を実施するためのシェルタの断面図である。
【図３】本考案を実施するためのシェルタの内部構成図である。
【図４】本考案を実施するためのシェルタの内部構成図である。
【図５】本考案を実施するためのシェルタの内部構成図である。
【図６】本考案を実施するためのシェルタの内部構成図である。
【考案を実施するための形態】
【００１３】
続いて、本考案を実施するための形態について、図１〜図６を参照しつつ説明する。シェルタ１００は、シェルタ本体１０（図１，２参照）、室内部２０（図２，３，４参照）、断熱材３０（図２，３参照）、ケーブルラック４０（図５，６参照）を備える。
【００１４】
シェルタ本体１０は、図１で示すように、木材により構成された直方体状の軸組１１を構造体とし、その外側に金属板１２を張り合わせた構造体である。
【００１５】
シェルタ本体１０の金属板１２は、詳しくは屋根板１２ａ、側板１２ｂ、ドア１２ｃを備えている。この屋根板１２ａは、片勾配を有するように形成されており、雨水をドア１２ｃの設置面とは異なる面に排水するようになされている。屋根板１２ａはガルバリウム鋼板により形成されており、腐食に強い構成としている。側板１２ｂもガルバリウム鋼板を採用しており、腐食に強い構成としている。ドア１２ｃも腐食に強いドアを採用している。このドア１２ｃは、シェルタ本体１０および室内部２０の入り口に設けられる。
【００１６】
この屋根板１２ａや側板１２ｂには軸組１１が工場で予め固定されている。従って、設置箇所では屋根板１２ａや側板１２ｂに固定されている軸組１１同士を固定するという、いわゆる２×４方式で組み立てることができるため、設置作業の短縮化を実現している。さらに、板と板との間に軸組１１の角柱が位置していれば、板と板との間を埋めるコーキング作業を不要としており、設置作業の軽減を実現している。そして、シェルタ本体１０の構造は、屋根板１２ａの全面、側板１２ｂの全面に張り合わされた軸組１１が梁の役割を果たし、堅牢な構造体となっている。また、屋根板１２ａ、側板１２ｂは、シェルタ本体１０に要求される強度に応じて任意の厚さに設定することができ、充分厚くして強固な構造体としても良い。
【００１７】
なお、屋根板１２ａや側板１２ｂから室内部２０の壁面までの間には軸組１１が介在しているが、軸組１１がない箇所では空間ができる。この空間の距離は、例えば１０センチメートル程度である。後述するがこの空間には、図２でも示すように断熱材３０が充填される。
【００１８】
室内部２０は、軸組１１の内側に内部壁材２１を取り付けて形成される略直方体の小部屋である。内部壁材２１は具体的には石膏ボードや木板である。天井では、図３で示すように軸組１１の下面に取り付けられ、また、側面では軸組１１の横面に取り付けられている。これにより、室内部２０における耐火性能を向上させている。この室内部２０の内部空間では電子機器や各種機械が設置される。室内部２０の床面には、図４で示すように、ケーブル導入口２２が設けられており、外部に設置したアンテナからのケーブルを通信機器に簡単に接続するなど、配線の引き込みに適宜利用することができる。なお、床は木材等で形成すれば良い。また、ドア１２ｃを開けると入り口を介して室内部２０内と連通するようになされており、通信機器を容易に室内部２０の中へ運搬することができる。
【００１９】
断熱材３０は、室内部２０と、シェルタ本体１０の屋根板１２ａ、側板１２ｂとの間の空間に充填されるものであり、例えば、グラスウールや発砲ウレタンからなる部材である。この断熱材３０は、外気温の熱影響を抑え、室内部２０の内部を一定温度に維持することができる。
【００２０】
内部では、ケーブルをガイドするケーブルラック４０が取り付けられる。具体的には、図５で示すように、軸組１１に固定される。また、図６で示すように、天井部分の石膏ボードや木板である内部壁材２１から吊り下げ部２３により吊り下げられる。このケーブルラック４０に電源供給用ケーブルや配線用ケーブルが配置され、各種の配線が行われる。このケーブルラック４０は、軸組１１や内部壁材２１に固定される。
【００２１】
このようなシェルタ１００に、外部に設置した移動体通信基地局用アンテナなどに接続されたケーブル（図示せず）を引き込んで室内部２０の内部に設置された通信機器に接続することにより、シェルタ１００が通信施設（例えば携帯電話・スマートフォンの中継局というような通信ネットワーク基地局である。）として機能する。また、パラボラアンテナ等を敷設して衛星通信用地上局または放送用地上局として機能する。また、電力線を引き込んで電力機器室として機能する。
【００２２】
続いてシェルタ１００の設置作業について説明する。設置箇所には基礎コンクリートおよびこの基礎コンクリートに植設したアンカーボルトが予め設けられている。アンカーボルトは絶縁が確保されている。そしてシェルタ１００を工場で組み立て、設置現場まで輸送し、設置現場の基礎コンクリートに植設したアンカーボルトによって、シェルタ１００を基礎コンクリートに据付固定する。
【００２３】
このような工法とすればシェルタ１００を容易に設置できる。このようにシェルタ１００を地上に配置する据え置き型とすることで地面を掘削するような作業を不要として、建設コストを大幅に低くすることができる。また、もし大型なシェルタ１００であるならば、設置現場で組み立てにより建設するようにしてもよい。
【００２４】
廃棄時では上記ナットをはずしてシェルタ１００を基礎コンクリートから取り外し、その後に各種部品に分解すれば簡単に撤去できる。そして、木製である軸組１１・床材や、石膏ボードや木板である内部壁材２１は容易に廃棄できる。  
【００２５】
以上本考案のシェルタについて説明した。
本考案のシェルタ１００では外界からの熱の影響を抑えることができ、通信機器の熱による故障やトラブルを抑えることができる。
また、工場で組み立てられたシェルタ１００を運搬して設置すれば短期間で容易にシェルタ１００の設置が可能となる。
また、屋根板１２ａや側板１２ｂを耐候性、耐食性に優れたガルバリウム鋼板で形成することにより、耐久性にも優れ、長期間に渡って維持することが可能となる。
また、木製である軸組１１や、石膏ボードや木板である内部壁材２１を採用したため、絶縁を確実に確保できる。
また、板と板とのつなぎ目には角柱が存在するため、隙間が発生しないこととなり、コーキングレスを実現することができる。
また、木製である軸組１１や、石膏ボードや木板である内部壁材２１は容易に廃棄でき、使い勝手を良くしている。
【００２６】
なお、シェルタ１は本考案の技術的思想を逸脱しない範囲で適宜変更することができることは云うまでもない。
【産業上の利用可能性】
【００２７】
以上のような本考案のシェルタは、軽量化・絶縁化の点で優れ、また、廃棄を容易にしており、用途に対応した選択を可能とし、産業上利用価値を高めている。
【符号の説明】
【００２８】
１００：シェルタ
１０：シェルタ本体
１１：軸組
１２：金属板
１２ａ：屋根板
１２ｂ：側板
１２ｃ：ドア
２０：室内部
２１：内部壁材
２２：ケーブル導入口
２３：吊り下げ部
３０：断熱材
４０：ケーブルラック
【図１】
0003179394.tif 000003
【図２】
0003179394.tif 000004
【図３】
0003179394.tif 000005
【図４】
0003179394.tif 000006
【図５】
0003179394.tif 000007
【図６】
0003179394.tif 000008